(57)【特許請求の範囲】
【請求項１】
ネットワークノードによって実行されるスケジューリング要求リソース割り当てのための方法であって、
アップリンク送信のために少なくとも１つの無線デバイスに物理アップリンク制御チャネル（ＰＵＣＣＨ）リソースを割り当てることと、
スケジューリング要求を送信するためのＰＵＣＣＨリソースを示す設定メッセージを第１の無線デバイスに送信することであって、前記設定メッセージがＰＵＣＣＨ長さとスケジューリング要求周期とを含み、前記スケジューリング要求周期が前記ＰＵＣＣＨ長さよりも小さい、設定メッセージを第１の無線デバイスに送信することと、
前記第１の無線デバイスから第１のスケジューリング要求を受信することと
を含む方法。
【請求項２】
前記ＰＵＣＣＨ長さが、スケジューリング要求を送信するために使用されるべきシンボルの数を示す、請求項１に記載の方法。
【請求項３】
前記ＰＵＣＣＨ長さが、４シンボル以上のロングＰＵＣＣＨフォーマットである、請求項１または２に記載の方法。
【請求項４】
前記スケジューリング要求周期が３シンボル以下である、請求項３に記載の方法。
【請求項５】
前記設定メッセージが、スケジューリング要求を送信するための少なくとも１つの周波数リソースをさらに含む、請求項１から４のいずれか一項に記載の方法。
【請求項６】
前記設定メッセージが周波数シフト情報をさらに含む、請求項５に記載の方法。
【請求項７】
前記設定メッセージが、ＰＵＣＣＨ送信が開始され得る時間を規定する開始スケジューリング要求周期をさらに含む、請求項１から６のいずれか一項に記載の方法。
【請求項８】
第２の無線デバイスに第２の設定メッセージを送信することをさらに含む、請求項１から７のいずれか一項に記載の方法。
【請求項９】
第２の無線デバイスから第２のスケジューリング要求を受信することであって、前記第１のスケジューリング要求と前記第２のスケジューリング要求とが時間リソースおよび周波数リソースのうちの少なくとも１つにおいて重複する、第２のスケジューリング要求を受信することをさらに含む、請求項１から８のいずれか一項に記載の方法。
【請求項１０】
プロセッサとメモリとを含む回路を備えるネットワークノードであって、前記メモリが前記プロセッサによって実行可能な命令を含んでおり、それにより、前記ネットワークノードが、
アップリンク送信のために少なくとも１つの無線デバイスに物理アップリンク制御チャネル（ＰＵＣＣＨ）リソースを割り当てることと、
スケジューリング要求を送信するためのＰＵＣＣＨリソースを示す設定メッセージを第１の無線デバイスに送信することであって、前記設定メッセージがＰＵＣＣＨ長さとスケジューリング要求周期とを含み、前記スケジューリング要求周期が前記ＰＵＣＣＨ長さよりも小さい、設定メッセージを第１の無線デバイスに送信することと、
前記第１の無線デバイスから第１のスケジューリング要求を受信することと
を行うように動作可能である、ネットワークノード。
【請求項１１】
前記ＰＵＣＣＨ長さが、スケジューリング要求を送信するために使用されるべきシンボルの数を示す、請求項１０に記載のネットワークノード。
【請求項１２】
前記ＰＵＣＣＨ長さが、４シンボル以上のロングＰＵＣＣＨフォーマットである、請求項１０または１１に記載のネットワークノード。
【請求項１３】
前記スケジューリング要求周期が３シンボル以下である、請求項１２に記載のネットワークノード。
【請求項１４】
前記設定メッセージが、スケジューリング要求を送信するための少なくとも１つの周波数リソースをさらに含む、請求項１０から１３のいずれか一項に記載のネットワークノード。
【請求項１５】
前記設定メッセージが周波数シフト情報をさらに含む、請求項１４に記載のネットワークノード。
【請求項１６】
前記設定メッセージが、ＰＵＣＣＨ送信が開始され得る時間を規定する開始スケジューリング要求周期をさらに含む、請求項１０から１５のいずれか一項に記載のネットワークノード。
【請求項１７】
第２の無線デバイスに第２の設定メッセージを送信するようにさらに動作可能である、請求項１０から１６のいずれか一項に記載のネットワークノード。
【請求項１８】
第２の無線デバイスから第２のスケジューリング要求を受信するようにさらに動作可能であり、前記第１のスケジューリング要求と前記第２のスケジューリング要求とが時間リソースおよび周波数リソースのうちの少なくとも１つにおいて重複する、請求項１０から１７のいずれか一項に記載のネットワークノード。
【請求項１９】
無線デバイスによって実行される、スケジューリング要求リソース設定のための方法であって、
スケジューリング要求を送信するための物理アップリンク制御チャネル（ＰＵＣＣＨ）リソースを示す設定メッセージを受信することであって、前記設定メッセージがＰＵＣＣＨ長さとスケジューリング要求周期とを含み、前記スケジューリング要求周期が前記ＰＵＣＣＨ長さよりも小さい、設定メッセージを受信することと、
前記設定メッセージに従って前記無線デバイスのＰＵＣＣＨリソースを設定することと、
前記設定されたＰＵＣＣＨリソースを使用してスケジューリング要求を送信することと
を含む方法。
【請求項２０】
前記ＰＵＣＣＨ長さが、スケジューリング要求を送信するために使用されるべきシンボルの数を示す、請求項１９に記載の方法。
【請求項２１】
前記設定メッセージが、スケジューリング要求を送信するための少なくとも１つの周波数リソースをさらに含む、請求項１９または２０に記載の方法。
【請求項２２】
前記設定メッセージが周波数シフト情報をさらに含む、請求項２１に記載の方法。
【請求項２３】
前記設定メッセージが、ＰＵＣＣＨ送信が開始され得る時間を規定する開始スケジューリング要求周期をさらに含む、請求項１９から２２のいずれか一項に記載の方法。
【請求項２４】
プロセッサとメモリとを含む回路を備える無線デバイスであって、前記メモリが前記プロセッサによって実行可能な命令を含み、それにより、前記無線デバイスが、
スケジューリング要求を送信するための物理アップリンク制御チャネル（ＰＵＣＣＨ）リソースを示す設定メッセージを受信することであって、前記設定メッセージがＰＵＣＣＨ長さとスケジューリング要求周期とを含み、前記スケジューリング要求周期が前記ＰＵＣＣＨ長さよりも小さい、設定メッセージを受信することと、
前記設定メッセージに従って前記無線デバイスのＰＵＣＣＨリソースを設定することと、
前記設定されたＰＵＣＣＨリソースを使用してスケジューリング要求を送信することと
を行うように動作可能である、無線デバイス。
【請求項２５】
前記ＰＵＣＣＨ長さが、スケジューリング要求を送信するために使用されるべきシンボルの数を示す、請求項２４に記載の無線デバイス。
【請求項２６】
前記設定メッセージが、スケジューリング要求を送信するための少なくとも１つの周波数リソースをさらに含む、請求項２４または２５に記載の無線デバイス。
【請求項２７】
前記設定メッセージが周波数シフト情報をさらに含む、請求項２６に記載の無線デバイス。
【請求項２８】
前記設定メッセージが、ＰＵＣＣＨ送信が開始され得る時間を規定する開始スケジューリング要求周期をさらに含む、請求項２４から２７のいずれか一項に記載の無線デバイス。
【発明の詳細な説明】
【技術分野】
【０００１】
関連出願の相互参照
本出願は、その内容全体が参照により本明細書に組み込まれる、２０１７年６月１６日に出願された米国仮出願第６２／５２１，１８３号の利益を主張する。
【０００２】
本開示は、一般に、無線通信および無線通信ネットワークに関する。
【背景技術】
【０００３】
（５Ｇまたは次世代としても知られる）新無線（ＮＲ）のためのアーキテクチャは、３ＧＰＰなどの標準化団体において議論されている。図１は、無線通信のために使用され得る無線ネットワーク１００の例を示す。無線ネットワーク１００は、ユーザ機器ＵＥ１０２Ａ〜１０２Ｂと、相互接続ネットワーク１１５を介して１つまたは複数のネットワークノード１０６（コアネットワークノードなど）に接続された無線アクセスノード１０４Ａ〜１０４Ｂ（たとえばｅＮＢ、ｇＮＢなど）など、複数のネットワークノードとを含む。ネットワーク１００は任意の好適な配置シナリオを使用することができる。カバレッジエリア１０８内のＵＥ１０２は、それぞれ、無線インターフェースを介して無線アクセスノード１０４Ａと直接通信することが可能である。いくつかの実施形態では、ＵＥ１０２はまた、Ｄ２Ｄ通信を介して互いに通信することが可能である。
【０００４】
例として、ＵＥ１０２Ａは、無線インターフェースを介して無線アクセスノード１０４Ａと通信することができる。すなわち、ＵＥ１０２Ａは、無線アクセスノード１０４Ａに無線信号を送信し、および／または無線アクセスノード１０４Ａから無線信号を受信することができる。無線信号は、音声トラフィック、データトラフィック、制御信号、および／または何らかの他の好適な情報を含むことができる。いくつかの実施形態では、無線アクセスノード１０４Ａに関連する無線信号カバレッジのエリアはセル１０８と呼ばれることがある。１０８はサービングセルであり、１１０は、やはり通信を可能にし得るが、ＵＥ１０２Ａがそれに現在接続されていない、別の近隣セルである。
【０００５】
相互接続ネットワーク１１５は、オーディオ、ビデオ、信号、データ、メッセージなど、または前記の任意の組合せを送信することが可能である任意の相互接続システムを指すことができる。相互接続ネットワーク１１５は、公衆交換電話網（ＰＳＴＮ）、パブリックデータネットワークまたはプライベートデータネットワーク、ローカルエリアネットワーク（ＬＡＮ）、メトロポリタンエリアネットワーク（ＭＡＮ）、ワイドエリアネットワーク（ＷＡＮ）、インターネットなど、ローカル、地域、またはグローバル通信ネットワークまたはコンピュータネットワーク、有線ネットワークまたは無線ネットワーク、エンタープライズイントラネット、またはそれらの組合せを含む、何らかの他の好適な通信リンクの全部または一部分を含むことができる。
【０００６】
いくつかの実施形態では、ネットワークノード１０６は、ＵＥ１０２のための通信セッションの確立および他の様々な他の機能を管理するコアネットワークノード１０６であり得る。コアネットワークノード１０６の例は、モバイルスイッチングセンタ（ＭＳＣ）、ＭＭＥ、サービングゲートウェイ（ＳＧＷ）、パケットデータネットワークゲートウェイ（ＰＧＷ）、運用保守（Ｏ＆Ｍ）、オペレーションズサポートシステム（ＯＳＳ）、ＳＯＮ、測位ノード（たとえば、エンハンスドサービングモバイルロケーションセンタ（Ｅ−ＳＭＬＣ））、ＭＤＴノードなどを含むことができる。ＵＥ１０２は、非アクセス層レイヤを使用してコアネットワークノードと特定の信号を交換することができる。非アクセス層シグナリングでは、ＵＥ１０２とコアネットワークノード１０６との間の信号が無線アクセスネットワークを透過的に通され得る。いくつかの実施形態では、無線アクセスノード１０４は、ノード間インターフェースを介して１つまたは複数のネットワークノードとインターフェースすることができる。
【０００７】
ＮＲ無線通信システムは、現在のモバイルネットワーク世代に対して使用シナリオおよび用途を拡大することが想定される。厳しいレイテンシおよび信頼度要件をもつ「超高信頼度低レイテンシ通信」（ＵＲＬＬＣ）がＮＲのための１つの重要なシナリオとして承認された。ＵＲＬＬＣは、１ミリ秒もの低い配信レイテンシ限界内で、９９．９９９％（ファイブナインズ）の、またはさらに高い超高配信信頼度を要求する。
【０００８】
物理アップリンク制御チャネル（ＰＵＣＣＨ）は、長さおよびペイロードサイズに応じて異なるフォーマットを有することができる。標準化団体における議論によれば、１〜２シンボル長さをもつショートＰＵＣＣＨフォーマットと、２シンボルを超える長さをもつ（たとえば、長さ４〜１４シンボルの）ロングＰＵＣＣＨフォーマットとがあり得る。
【０００９】
２シンボルショートＰＵＣＣＨについて、周波数ホッピングを用いる１シンボルＰＵＣＣＨのコピー／反復に設計を基づかせることが承認された。ロングＰＵＣＣＨフォーマットの構造について、１〜２ＵＣＩビット用のロングＰＵＣＣＨの設計を、高い多重化容量を可能にするためにＬＴＥにおけるＰＵＣＣＨフォーマット１／１ａ／１ｂに基づかせることが承認された。ＬＴＥは、最高３６のユーザの多重化を可能にするペイロードサイズ１ビットおよび２ビット用のＰＵＣＣＨフォーマット１／１ａ／１ｂをサポートすることに留意されたい。しかしながら、同じ時間周波数リソース上への３６個のＰＵＣＣＨフォーマット１／１ａ／１ｂ送信の多重化は、実際には、干渉によってしばしば制限され、したがって、現実的な多重化容量は低減されることが予想される。
【００１０】
ＤＦＴＳ−ＯＦＤＭシンボルにわたって広がる時間領域ブロックに依拠するＬＴＥ  ＰＵＣＣＨフォーマット１／１ａ／１ｂに基づいて、ＮＲにおける１〜２ビット用のロングＰＵＣＣＨは以下の構造を有する。
【００１１】
周波数ホッピングがサポートされる。
【００１２】
復調用参照シンボル（ＤＭＲＳ）は以下のように形成される。すなわち、ＰＵＣＣＨのためのＤＭＲＳはベースＤＭＲＳシーケンスの巡回シフトである。時間領域直交カバーコード（ＯＣＣ）は、適用可能なとき、ホップごとのＤＭＲＳシンボルのために使用される。
【００１３】
データシンボルは以下のように形成される。すなわち、変調されたＵＣＩビットは基本シーケンスの巡回シフトに乗算される。時間領域ＯＣＣは、適用可能なとき、ホップごとのデータシンボルのために使用される。
【００１４】
図２はロングＰＵＣＣＨ構造の例を示す。ホップごとの異なるＤＭＲＳシンボルパターンが可能であることに留意されたい。図２は、たとえば、１つおきのシンボルがスロット中の第１のシンボルで始まる、時間領域中の固定位置がＤＭＲＳシンボルのために使用される、１〜２ＵＣＩビット用の４シンボルおよび７シンボルロングＰＵＣＣＨ構造の例を示す。例示の目的で、１４シンボル長スロット中のＰＵＣＣＨの位置はまた、スロットの端部にあると仮定される。
【００１５】
ＵＥがそれのバッファ中にデータを有し、アップリンク（ＵＬ）送信のためにスケジュールされることを希望することをＵＥがネットワークに示すために、ＵＥはネットワークに「スケジューリング要求」（ＳＲ）を送信することができる。ＳＲは、固有のＰＵＣＣＨフォーマットとして定義され、また、複数のＵＥが、同じリソースを使用して、ＳＲを同時に送信し、したがって、ＵＥがネットワークにスケジュールされることを希望することを同時に示すことができるように、定義される。
【００１６】
しかしながら、ネットワーク側がＳＲを検出することに失敗することが起こり得、そのことは、ＵＥが不十分なカバレッジ状態を経験しているときに、またはＵＥの送信が近隣セル中にある強いＵＥの干渉送信によってマスキングされたときに生じることがある。３ＧＰＰ  ＴＲ３８．９１３によって出されたＵＲＬＬＣターゲットによれば、パケットは、１ｍｓの一方向レイテンシ限界内でＢＬＥＲ１０〜５で配信されるべきである。したがって、ＳＲを開始から十分な高い信頼度で送信すべきことが重要である。
【００１７】
別の態様は、それによってＳＲがネットワークに送られ得る周期である。たとえば、ＳＲが５ｍｓの周期で設定されると仮定し、１ｍｓの現在のＬＴＥ  ＴＴＩを仮定すると、その場合、ＵＥは５番目の送信機会ごとにＵＬリソースを要求することができるのみであり、ＵＥバッファにおけるパケット到着とＳＲの送信との間の最悪の場合のタイミングでは最大で５ｍｓの暗黙的遅延につながる。検出まで待つ時間が余剰遅延をもたらし、そのことがＵＬデータのための不要なレイテンシを誘起することがある。
【発明の概要】
【００１８】
本開示の目的は、従来技術の少なくとも１つの欠点をなくすか、または緩和することである。
【００１９】
本開示のいくつかの態様では、スケジューリング要求を送信するための重複するＰＵＣＣＨリソースをもつＵＥを設定するためのシステムおよび方法が提供される。
【００２０】
第１の態様では、ネットワークノードによって実行されるスケジューリング要求リソース割り当てのための方法が提供される。本方法は、アップリンク送信のために少なくとも１つの無線デバイスに物理アップリンク制御チャネル（ＰＵＣＣＨ）リソースを割り当てることを含む。スケジューリング要求を送信するためのＰＵＣＣＨリソースを示す設定メッセージが第１の無線デバイスに送信される。設定メッセージはＰＵＣＣＨ長さと周期とを含み、周期はＰＵＣＣＨ長さよりも小さい。第１のスケジューリング要求は第１の無線デバイスから受信される。
【００２１】
別の態様では、プロセッサとメモリとを含む回路を備えるネットワークノードが提供される。メモリは、プロセッサによって実行可能な命令を含んでおり、それにより、ネットワークノードは、アップリンク送信のために少なくとも１つの無線デバイスに物理アップリンク制御チャネル（ＰＵＣＣＨ）リソースを割り当てるように動作可能である。ネットワークノードは、第１の無線デバイスに、スケジューリング要求を送信するためのＰＵＣＣＨリソースを示す設定メッセージを送信し、設定メッセージはＰＵＣＣＨ長さと周期とを含み、周期はＰＵＣＣＨ長さよりも小さい。ネットワークノードは第１の無線デバイスから第１のスケジューリング要求を受信する。
【００２２】
別の態様では、無線デバイスによって実行される、スケジューリング要求リソース設定のための方法が提供される。本方法は、スケジューリング要求を送信するための物理アップリンク制御チャネル（ＰＵＣＣＨ）リソースを示す設定メッセージを受信することを含む。設定メッセージはＰＵＣＣＨ長さと周期とを含み、周期はＰＵＣＣＨ長さよりも小さい。無線デバイスのＰＵＣＣＨリソースは設定メッセージに従って設定される。スケジューリング要求は、設定されたＰＵＣＣＨリソースを使用して送信される。
【００２３】
別の態様では、プロセッサとメモリとを含む回路を備える無線デバイスが提供される。メモリは、プロセッサによって実行可能な命令を含んでおり、それにより、無線デバイスは、スケジューリング要求を送信するための物理アップリンク制御チャネル（ＰＵＣＣＨ）リソースを示す設定メッセージを受信するように動作可能であり、設定メッセージはＰＵＣＣＨ長さと周期とを含み、周期はＰＵＣＣＨ長さよりも小さい。無線デバイスは、設定メッセージに従って無線デバイスのＰＵＣＣＨリソースを設定する。無線デバイスは、設定されたＰＵＣＣＨリソースを使用してスケジューリング要求を送信する。
【００２４】
いくつかの実施形態では、ＰＵＣＣＨ長さは、スケジューリング要求を送信するために使用されるべきシンボルの数を示すことができる。いくつかの実施形態では、ＰＵＣＣＨ長さは４シンボル以上のロングＰＵＣＣＨフォーマットであり得る。周期は３シンボル以下である。
【００２５】
いくつかの実施形態では、設定メッセージは、スケジューリング要求を送信するための少なくとも１つの周波数リソースをさらに含むことができる。設定メッセージは周波数シフト情報をさらに含むことができる。
【００２６】
いくつかの実施形態では、設定メッセージは、ＰＵＣＣＨ送信が開始され得る時間を規定する開始周期をさらに含むことができる。
【００２７】
いくつかの実施形態では、ネットワークノードは第２の無線デバイスに第２の設定メッセージを送信することができる。いくつかの実施形態では、ネットワークノードは第２の無線デバイスから第２のスケジューリング要求を受信することができ、第１のスケジューリング要求と第２のスケジューリング要求とは時間リソースおよび周波数リソースのうちの少なくとも１つにおいて重複する。
【００２８】
本明細書で説明される様々な態様および実施形態は、代替的に、随意に、および／または互いに加えて、組み合わせられ得る。
【００２９】
本開示の他の態様および特徴は、添付図とともに特定の実施形態の以下の説明を検討すると、当業者に明らかになろう。
【００３０】
次に、添付の図を参照しながら、単に例として、本開示の実施形態について説明する。
【図面の簡単な説明】
【００３１】
【図１】例示的な無線ネットワークを示す図である。
【図２】ロングＰＵＣＣＨ構造の例を示す図である。
【図３】ロングＰＵＣＣＨ割り当ての例を示す図である。
【図４】重複するＰＵＣＣＨ割り当ての第１の例示的な実施形態を示す図である。
【図５】重複するＰＵＣＣＨ送信を受信することの例を示す図である。
【図６】重複するＰＵＣＣＨ割り当ての第２の例示的な実施形態を示す図である。
【図７】重複するＰＵＣＣＨ割り当ての第３の例示的な実施形態を示す図である。
【図８】重複するＰＵＣＣＨ割り当ての第４の例示的な実施形態を示す図である。
【図９】例示的なシグナリング図である。
【図１０】ネットワークノードにおいて実行され得る方法を示すフローチャートである。
【図１１】無線デバイス中で実行され得る方法を示すフローチャートである。
【図１２】例示的な無線デバイスのブロック図である。
【図１３】モジュールをもつ例示的な無線デバイスのブロック図である。
【図１４】例示的なネットワークノードのブロック図である。
【図１５】モジュールをもつ例示的なネットワークノードのブロック図である。
【発明を実施するための形態】
【００３２】
以下に記載する実施形態は、当業者が実施形態を実施することを可能にするための情報を表す。添付の図面の図に照らして以下の説明を読むと、当業者は、説明の概念を理解し、本明細書で特に扱われないこれらの概念の適用例を認識するであろう。これらの概念および適用例は説明の範囲内に入ることを理解されたい。
【００３３】
以下の説明では、多数の具体的な詳細が記載されている。しかしながら、実施形態はこれらの具体的な詳細なしに実施され得ることを理解されたい。他の事例では、よく知られている回路、構造、および技法は、説明の理解を不明瞭にしないために詳細に示されていない。当業者は、含まれた説明を用いて、過度の実験なしに適切な機能を実装することが可能であろう。
【００３４】
「一実施形態」、「実施形態」、「例示的な実施形態」などへの本明細書における言及は、説明される実施形態が特定の特徴、構造、または特性を含み得るが、あらゆる実施形態が必ずしも特定の特徴、構造、または特性を含むとは限らないことを示す。その上、そのようなフレーズは必ずしも同じ実施形態を指しているとは限らない。さらに、特定の特徴、構造、または特性が実施形態に関して説明されるとき、明示的に説明されるか否かに関わらず、そのような特徴、構造、または特性を、他の実施形態とともに実装することは当業者の知識内であることを甘受されたい。
【００３５】
いくつかの実施形態では、非限定的な用語「ユーザ機器」（ＵＥ）が使用され、「ユーザ機器」（ＵＥ）は、セルラーまたはモバイルまたは無線通信システム中にあるネットワークノードおよび／または別のＵＥと通信することができる任意のタイプの無線デバイスを指すことができる。ＵＥの例は、ターゲットデバイス、デバイス間（Ｄ２Ｄ）ＵＥ、マシン型ＵＥ、またはマシン間（Ｍ２Ｍ）通信対応のＵＥ、パーソナルデジタルアシスタント、タブレット、モバイル端末、スマートフォン、ラップトップ埋込み機器（ＬＥＥ）、ラップトップ搭載機器（ＬＭＥ）、ＵＳＢドングル、ＰｒｏＳｅ  ＵＥ、Ｖ２Ｖ  ＵＥ、Ｖ２Ｘ  ＵＥ、ＭＴＣ  ＵＥ、ｅＭＴＣ  ＵＥ、ＦｅＭＴＣ  ＵＥ、ＵＥ  Ｃａｔ  ０、ＵＥ  Ｃａｔ  Ｍ１、ナローバンドＩｏＴ（ＮＢ−ＩｏＴ）ＵＥ、ＵＥ  Ｃａｔ  ＮＢ１などである。ＵＥの例示的な実施形態については、図１２に関して以下でより詳細に説明する。
【００３６】
いくつかの実施形態では、非限定的な用語「ネットワークノード」が使用され、「ネットワークノード」は、セルラーまたはモバイルまたは無線通信システム中にあるＵＥおよび／または別のネットワークノードと通信することができる任意のタイプの無線アクセスノード（または無線ネットワークノード）または任意のネットワークノードに対応することができる。ネットワークノードの例は、ノードＢ、ＭｅＮＢ、ＳｅＮＢ、ＭＣＧまたはＳＣＧに属するネットワークノード、基地局（ＢＳ）、ＭＳＲ  ＢＳなどのマルチスタンダード無線（ＭＳＲ）無線アクセスノード、ｅノードＢ、ネットワークコントローラ、無線ネットワークコントローラ（ＲＮＣ）、基地局コントローラ（ＢＳＣ）、リレー、ドナーノード制御リレー、トランシーバ基地局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（たとえばＭＳＣ、ＭＭＥなど）、Ｏ＆Ｍ、ＯＳＳ、自己組織化ネットワーク（ＳＯＮ）、測位ノード（たとえばＥ−ＳＭＬＣ）、ＭＤＴ、テスト機器などである。ネットワークノードの例示的な実施形態については、図１４に関して以下でより詳細に説明する。
【００３７】
いくつかの実施形態では、用語「無線アクセス技術」（ＲＡＴ）は、任意のＲＡＴ、たとえば、ＵＴＲＡ、Ｅ−ＵＴＲＡ、ナローバンドモノのインターネット（ＮＢ−ＩｏＴ）、ＷｉＦｉ、Ｂｌｕｅｔｏｏｔｈ、次世代ＲＡＴ（ＮＲ）、４Ｇ、５Ｇなどを指す。第１のノードおよび第２のノードのいずれかは単一のまたは複数のＲＡＴをサポートすることが可能であり得る。
【００３８】
本明細書で使用される用語「無線ノード」は、ＵＥまたはネットワークノードを示すために使用され得る。
【００３９】
いくつかの実施形態では、ＵＥは、ＤＬ方向およびＵＬ方向のうちの少なくとも１つにおける２つ以上のキャリアのアグリゲーションを暗示するキャリアアグリゲーション（ＣＡ）において動作するように設定され得る。ＣＡを用いると、ＵＥは複数のサービングセルを有することができ、本明細書の用語「サービング」は、ＵＥが対応するサービングセルを用いて設定され、サービングセル上、たとえば、ＰＣｅｌｌ上またはＳＣｅｌｌのいずれかの上でネットワークノードからデータを受信し得、および／またはネットワークノードにデータを送信し得ることを意味する。データは、たとえば、ＤＬにおけるＰＤＳＣＨ、ＵＬにおけるＰＵＳＣＨなど、物理チャネルを介して送信または受信される。コンポーネントキャリア（ＣＣ）は互換的にキャリアまたはアグリゲートされたキャリアとも呼ばれ、ＰＣＣまたはＳＣＣは、たとえば、ＵＥにＲＲＣ設定メッセージを送ることによって、上位レイヤシグナリングを使用して、ネットワークノードによってＵＥにおいて設定される。設定されたＣＣは、設定されたＣＣのサービングセル上（たとえば、ＰＣｅｌｌ、ＰＳＣｅｌｌ、ＳＣｅｌｌの上など）でＵＥをサーブするためにネットワークノードによって使用される。設定されたＣＣはまた、ＣＣ、たとえば、ＰＣｅｌｌ、ＳＣｅｌｌまたはＰＳＣｅｌｌの上で動作しているセルおよび近隣セルの上で１つまたは複数の無線測定（たとえばＲＳＲＰ、ＲＳＲＱなど）を実行するためにＵＥによって使用される。
【００４０】
いくつかの実施形態では、ＵＥはまた、デュアルコネクティビティ（ＤＣ）またはマルチコネクティビティ（ＭＣ）において動作することができる。マルチキャリアまたはマルチキャリア動作はＣＡ、ＤＣ、ＭＣなどのいずれかであり得る。用語「マルチキャリア」はまた、互換的に帯域組合せと呼ばれることがある。
【００４１】
本明細書で使用される用語「無線測定」は、無線信号上で実行される任意の測定を指し得る。無線測定は絶対的または相対的であり得る。無線測定は、たとえば、周波数内、周波数間、ＣＡなどであり得る。無線測定は、単方向（たとえば、ＤＬもしくはＵＬまたはサイドリンク上のいずれかの方向において）または双方向（たとえば、ＲＴＴ、Ｒｘ−Ｔｘなど）であり得る。無線測定のいくつかの例は、タイミング測定（たとえば、伝搬遅延、ＴＯＡ、タイミングアドバンス、ＲＴＴ、ＲＳＴＤ、Ｒｘ−Ｔｘなど）、角度測定（たとえば、到来角）、電力ベース測定またはチャネル品質測定（たとえば、経路損失、受信信号電力、ＲＳＲＰ、受信信号品質、ＲＳＲＱ、ＳＩＮＲ、ＳＮＲ、干渉電力、総干渉プラス雑音、ＲＳＳＩ、雑音電力、ＣＳＩ、ＣＱＩ、ＰＭＩなど）、セル検出またはセル識別、ＲＬＭ、ＳＩ読取りなどである。測定は、各方向において１つまたは複数のリンク上で、たとえば、ＲＳＴＤもしくは相対的ＲＳＲＰ、または同じ（共有）セルの異なるＴＰからの信号に基づいて実行され得る。
【００４２】
本明細書で使用される用語「シグナリング」は、（たとえば、ＲＲＣなどを介した）高レイヤシグナリング、（たとえば、物理制御チャネルまたはブロードキャストチャネルを介した）下位レイヤシグナリング、またはそれらの組合せのいずれかを含み得る。シグナリングは暗黙的または明示的であり得る。シグナリングはさらに、ユニキャスト、マルチキャストまたはブロードキャストであり得る。シグナリングはまた、別のノードに直接に行われるか、または第３のノードを介して行われ得る。
【００４３】
本明細書で使用する用語「時間リソース」は、時間の長さに関して表される任意のタイプの物理リソースまたは無線リソースに対応し得る。時間リソースの例は、シンボル、タイムスロット、サブフレーム、無線フレーム、ＴＴＩ、インターリービング時間などを含む。用語「周波数リソース」は、チャネル帯域幅内のサブバンド、サブキャリア、キャリア周波数、周波数帯域を指し得る。用語「時間リソースおよび周波数リソース」は、時間リソースと周波数リソースとの任意の組合せを指し得る。
【００４４】
ＵＥ動作のいくつかの例は、ＵＥ無線測定（上記の用語「無線測定」参照）、ＵＥ送信を用いる双方向測定、セル検出または識別、ビーム検出または識別、システム情報読取り、チャネル受信および復号、１つまたは複数の無線信号および／またはチャネルの少なくとも受信を伴う任意のＵＥ動作またはＵＥアクティビティ、セル変更または（再）選択、ビーム変更または（再）選択、モビリティ関係動作、測定関係動作、無線リソース管理（ＲＲＭ）関係動作、測位プロシージャ、タイミング関係プロシージャ、タイミング調整関係プロシージャ、ＵＥロケーション追跡プロシージャ、時間追跡関係プロシージャ、同期関係プロシージャ、ＭＤＴ様プロシージャ、測定収集関係プロシージャ、ＣＡ関係プロシージャ、サービングセルアクティブ化／非アクティブ化、ＣＣ設定／設定解除などを含む。
【００４５】
説明したように、ショートＰＵＣＣＨフォーマットは低レイテンシ処理に関して有益である。しかしながら、大いに信頼できるＳＲ送信を有するためには、２よりも長いシンボルをもつロングＰＵＣＣＨフォーマット、たとえば４シンボルロングＰＵＣＣＨが必要とされ得る。従来、このことは、ＳＲ周期がロングＰＵＣＣＨの持続時間よりも短くなり得ないので、整合レイテンシにつながり得る。この潜在的な問題に対する１つの解決策は、異なる周波数リソースにおいて複数のロングＰＵＣＣＨリソースを割り当てること、すなわち、周波数多重化である。しかしながら、これはリソース効率的でないことがある。
【００４６】
図３はロングＰＵＣＣＨフォーマット割り当ての例を示す。この例では、ＰＵＣＣＨ長さは４シンボルであり、周期も４シンボルである。このＰＵＣＣＨフォーマットはまた、周波数ホッピングを使用し、たとえば、第１の周波数がシンボル１およびシンボル２のために使用され、第２の周波数がシンボル３およびシンボル４のために使用される。この例では、パケットが第１のシンボル位置の後に送信のために到着した場合、ＵＥは、ＳＲを送信するために次の４シンボルＰＵＣＣＨの開始まで待たなければならない。
【００４７】
本開示のいくつかの実施形態は、より頻繁な大いに信頼できるＳＲリソースが設定され得るように、ＵＥがＳＲを送るために重複するＰＵＣＣＨリソースを割り当てることを含む。
【００４８】
本明細書で説明する非限定的な例のうちのいくつかは４シンボルロングＰＵＣＣＨフォーマットを使用して示されるが、それらの例は、一般に、任意の長さのＰＵＣＣＨフォーマットに適用され得ることが諒解されよう。説明したように、現在の標準リリースは、ＰＵＣＣＨフォーマット０（１〜２シンボルのＰＵＣＣＨ長さ）とＰＵＣＣＨフォーマット１（４〜１４シンボルのＰＵＣＣＨ長さ）とをサポートするが、任意のサポートされるシンボル長が考えられ得る。
【００４９】
ネットワークは、ＳＲおよび／またはＨＡＲＱフィードバックのためのＰＵＣＣＨリソースをもつＵＥを設定する。ベースライン設定はＰＵＣＣＨパターン（長さ、周波数リソース）および周期（Ｐ）を含む。さらに、ネットワークはまた、どの時間ＴにＰＵＣＣＨパターンが開始され得るかを示す開始周期と、どの周波数リソース上でＰＵＣＣＨパターンが開始されるものとするかを示す周波数ホッピングフラグとを設定することができる。例として、０は、常に同じ周波数リソースを示すことができ、１は、周期Ｐに関して開始時間Ｔに応じてシフティングリソースを示すことができる。
【００５０】
たとえば、ＳｃｈｅｄｕｌｉｎｇＲｅｑｕｅｓｔＲｅｓｏｕｒｃｅＣｏｎｆｉｇ情報要素など、設定メッセージは、ＵＥがスケジューリング要求を送り得る、ＰＵＣＣＨ上の物理レイヤリソースを決定することができる。設定メッセージは、ＵＥに適切なＰＵＣＣＨ設定を与えるために、ＳＲ−ｐｅｒｉｏｄｉｃｉｔｙ、ＳＲ−Ｏｆｆｓｅｔおよび／またはｐｅｒｉｏｄｉｃｉｔｙＡｎｄＯｆｆｓｅｔなどのパラメータを含むことができる。周期および／またはオフセット値は、いくつかのシンボルまたはいくつかのスロット中で与えられ得る。
【００５１】
図４は、重複するＰＵＣＣＨ割り当てが同じ時間周波数シフティング／ホッピング順序に従う、すなわち、最初の２つの連続シンボルが周波数帯域「ａ」上で送信され、最後の２つの連続シンボルが異なる周波数帯域「ｂ」にシフトする、第１の実施形態を示す。シフトは、任意の数のＯＦＤＭシンボルであるように設定され得る。この例では、ＰＵＣＣＨ長さは４シンボルであり、周期は１シンボルである（たとえば、開始位置２において、第２の割り当ては１シンボル後である）。したがって、このＰＵＣＣＨ割り当てを用いると、ＵＥは、両方の位置１および／または位置２において開始するＳＲを送信する機会を有する。
【００５２】
この例では、パケットが第１のシンボル位置の後に送信のために到着した場合、ＵＥは、次の位置１の時間まで待つのとは対照的に、位置２においてＳＲを送信することができる。この実施形態の利益は、ＳＲがＫ個のＯＦＤＭシンボルおきに割り当てられ得ることであり、ここで、Ｋは、１よりも大きいかまたは１に等しい任意の整数値である。
【００５３】
図４の実施形態によれば、第１のＵＥは、位置２において、ＰＵＣＣＨをもつＳＲを送ることができる。しかしながら、第２のＵＥは、開始位置１を用いて割り当てられたロングＰＵＣＣＨフォーマットを有し得る。図５は、アクセスノードの観点から、２つのＵＥから重複するＳＲ送信を受信することの例を示す。第１のＵＥは、たとえば、図４から、位置２において開始するＳＲを送信し、その結果、第２のＵＥのための位置１において開始する割り当てとの重複が生じる。
【００５４】
第１の実施形態は、異なる巡回シフトが４シンボルロングＰＵＣＣＨ中の各ＯＦＤＭシンボル（ＤＭＲＳと変調されたＵＣＩの両方）に適用されるので、第１のＵＥのシフトされたロングＰＵＣＣＨと第２のＵＥのシフトされないロングＰＵＣＣＨとの間の直交性が維持されることに依拠する。このことはまた、ホップごとの異なるＤＭＲＳシンボルパターンについて当てはまる。
【００５５】
時間領域ＯＣＣもＵＣＩおよびＤＭＲＳシンボル上に適用される場合、多重化容量はシフトサイズに応じて影響を受け得る。２つの主要なケースがある。すなわち、１）ＳＲ機会期間がＰＵＣＣＨ中の周波数ホッピング境界と整合する場合（たとえば、４シンボルロングＰＵＣＣＨについて２シンボルごとのＳＲ機会）、多重化容量は影響を受けない。２）（図４の例の場合のように）ＳＲ機会期間が周波数ホッピング境界と整合しない場合、ＯＣＣは影響を受けることがあり、多重化容量は低減され得る。
【００５６】
図６は、重複するＰＵＣＣＨ割り当ての第２の実施形態を示す。図６の例は、ＰＵＣＣＨ中の周波数ホッピング構造も修正され得る、第１の実施形態の変形である。この場合、開始位置１についての割り当てを有するＰＵＣＣＨは、周波数「ａ」において開始し、開始位置２についての割り当てを有するＰＵＣＣＨは、別の周波数、周波数「ｂ」において開始する。
【００５７】
図７は、重複するＰＵＣＣＨ割り当ての第３の実施形態を示す。図７の例は、周期が２シンボルである（たとえば、開始位置３において、第２の割り当てが２シンボル後である）、第１の実施形態の変形である。この例では、重複するＰＵＣＣＨ割り当ては、図３に示された元のＰＵＣＣＨフォーマットの場合と同じ絶対時間周波数割り当てに従う。
【００５８】
第３の実施形態では、フリーリソースが他の送信のために使用され得るので、このシフトされたロングＰＵＣＣＨ割り当てによって影響を受けず、したがって、第１の実施形態と比較してよりリソース効率的であり得る時間周波数リソースがある。その上、そのことには、適用される場合、ＯＣＣからの直交性の損失という問題がない。
【００５９】
しかしながら、ＤＭＲＳロケーションおよびコヒーレントコーミングの理由により、最初の２つの連続ＯＦＤＭシンボルはともに同じ周波数帯域中になければならない。したがって、この例におけるシフトは２つのＯＦＤＭシンボルの倍数であるべきである。最も短いＳＲ期間は、２つのＯＦＤＭシンボルであり、したがって、整合遅延に関して第１の実施形態よりも悪くなると考えられ得る。
【００６０】
一般化として、Ｘシンボル長の長さをもつロングＰＵＣＣＨおよびｘ＿１番目のシンボルにおける周波数ホッピングについて、整合遅延（すなわちＳＲ期間）はｘ＿１シンボルとＸ−ｘ＿１シンボルとの間である。
【００６１】
図８は、開始位置割り当てが位置１、３、６、８、１１にある５シンボルロングＰＵＣＣＨを含む、重複するＰＵＣＣＨ割り当ての第４の実施形態を示す。この例における周期および周波数ホッピングは図７のものと同様である。
【００６２】
したがって、ロングＰＵＣＣＨフォーマットの直交性は、それらが部分的に重複する場合には失われない。ＵＥがＳＲを送るための部分的に重複するロングＰＵＣＣＨリソースは、より頻繁なＳＲが、信頼性を犠牲にすることなしに割り当てられ得るように割り当てられる。
【００６３】
図９は、本開示の実施形態による、例示的なシグナリング図である。アクセスノード１０４Ａは、ＳＲおよび／またはＨＡＲＱフィードバックのためのＰＵＣＣＨリソースを用いてＵＥを設定するために、ＵＥ１  １０２ＡおよびＵＥ２  １０２ＢにＳＲ設定メッセージを送信する（ステップ２０１、２０２）。設定メッセージ２０１／２０２は、本明細書で説明したように、ＰＵＣＣＨパターン（長さ、周波数リソース）、ＰＵＣＣＨ周期、開始位置のための割り当て、および／または周波数ホッピングフラグなどを示す１つまたは複数のパラメータを含むことができる。アクセスノード１０４Ａは、時間リソースおよび／または周波数リソースにおいて重複するＳＲを送信するようにＵＥ１０２Ａおよび１０２Ｂを設定するために、リソースを割り当てることができる。
【００６４】
アクセスノード１０４ＡはＵＥ１  １０２Ａから少なくとも１つのＳＲメッセージ２０３を受信する。アクセスノード１０４ＡはＵＥ２  １０２Ｂから少なくとも１つのＳＲメッセージ２０４を受信する。受信されたＳＲメッセージ２０３／２０４は重複するか、または部分的に重複することができる。受信されたＳＲメッセージ２０３／２０４はロングＰＵＣＣＨフォーマットであり得る。アクセスノード１０４Ａは、受信されたＳＲメッセージ２０３／２０４を復号することができる。
【００６５】
上記のステップのうちの１つまたは複数は同時におよび／または異なる順序で実行され得ることが諒解されよう。
【００６６】
図１０は、アクセスノード１０４など、ネットワークノードにおいて実行され得る方法を示すフローチャートである。本方法は以下を含むことができる。
【００６７】
ステップ３１０：アップリンク送信のために少なくとも１つの無線デバイスにＰＵＣＣＨリソースを割り当てる。
【００６８】
ステップ３２０：ＵＥ１０２などの第１の無線デバイスにスケジューリング要求を送信するためのＰＵＣＣＨリソースを示す設定メッセージを送信する。設定メッセージは、少なくともＰＵＣＣＨ長さと周期とを含むパラメータを備えることができる。周期はＰＵＣＣＨ長さよりも小さくなり得る。ＰＵＣＣＨ長さは、スケジューリング要求を送信するために使用されるべき（ＯＦＤＭ）シンボルの数を示すことができる。周期は、次のＳＲ機会が割り当てられるシンボルの数を示すことができる。いくつかの実施形態では、ＰＵＣＣＨ長さは４シンボル以上のロングＰＵＣＣＨフォーマットであり得、したがって、周期は３シンボル以下であり得る。
【００６９】
いくつかの実施形態では、設定メッセージは、スケジューリング要求を送信するための周波数リソースを示すパラメータをさらに含むことができる。設定メッセージは周波数シフト／ホッピング情報をさらに含むことができる。
【００７０】
ステップ３３０：第１の無線デバイスから第１のスケジューリング要求を受信する。スケジューリング要求は、割り当てられたＰＵＣＣＨリソース上で受信され得る。
【００７１】
いくつかの実施形態では、第２の設定メッセージが第２の無線デバイスに送信され得る。第２のスケジューリング要求は、その後、第２の無線デバイスから受信され得、第１のスケジューリング要求および第２のスケジューリング要求は時間リソースおよび周波数リソースのうちの少なくとも１つにおいて重複する。
【００７２】
上記のステップのうちの１つまたは複数は同時におよび／または異なる順序で実行され得ることが諒解されよう。また、一点鎖線で示されたステップは随意であり、いくつかの実施形態では省略され得る。
【００７３】
図１１は、ＵＥ１０２などの無線デバイス中で実行され得る方法を示すフローチャートである。本方法は以下を含むことができる。
【００７４】
ステップ４１０：スケジューリング要求を送信するためのＰＵＣＣＨリソースを示す設定メッセージを受信する。設定メッセージは、アクセスノード１０４などのネットワークノードから受信され得る。設定メッセージは、少なくともＰＵＣＣＨ長さと周期とを含むパラメータを備えることができる。周期はＰＵＣＣＨ長さよりも小さくなり得る。
【００７５】
ステップ４２０：設定メッセージに従って無線デバイスのＰＵＣＣＨリソースを設定する。
【００７６】
ステップ４３０：設定されたＰＵＣＣＨリソースを使用してスケジューリング要求を送信する。
【００７７】
上記のステップのうちの１つまたは複数は同時におよび／または異なる順序で実行され得ることが諒解されよう。また、一点鎖線で示されたステップは随意であり、いくつかの実施形態では省略され得る。
【００７８】
図１２は、いくつかの実施形態による、ＵＥ１０２など、例示的な無線デバイスのブロック図である。ＵＥ１０２は、トランシーバ５０１と、プロセッサ５０２と、メモリ５０３と、通信インターフェース５０４とを含むことができる。いくつかの実施形態では、トランシーバ５０１は、（たとえば、送信機（Ｔｘ）、受信機（Ｒｘ）およびアンテナを介して）アクセスノード１０４に無線信号を送信し、アクセスノード１０４から無線信号を受信することを容易にする。プロセッサ５０２は、ＵＥ１０２によって与えられる上記で説明した機能のいくつかまたはすべてを与える命令を実行し、メモリ５０３は、プロセッサ５０２によって実行される命令を記憶する。いくつかの実施形態では、プロセッサ５０２およびメモリ５０３は処理回路を形成する。通信インターフェース５０４は、ゲートウェイ、スイッチ、ルータ、インターネット、公衆交換電話網（ＰＳＴＮ）、コアネットワークノードまたは無線ネットワークコントローラなどのネットワーク構成要素に信号を通信することができる。
【００７９】
プロセッサ５０２は、上記で説明されたＵＥ１０２の機能など、ＵＥ１０２の説明された機能のいくつかまたはすべてを実行するために命令を実行し、データを操作するためのハードウェアの任意の好適な組合せを含み得る。いくつかの実施形態では、プロセッサ５０２は、たとえば、１つまたは複数のコンピュータ、１つまたは複数の中央処理ユニット（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理を含み得る。
【００８０】
メモリ５０３は、一般に、論理、ルール、アルゴリズム、コード、テーブルなどのうちの１つまたは複数を含む、コンピュータプログラム、ソフトウェア、アプリケーションなどの命令、および／またはプロセッサによって実行されることが可能な他の命令を記憶するように動作可能である。メモリ５０３の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または、ＵＥ１０２のプロセッサ５０２によって使用され得る情報、データ、および／または命令を記憶する任意の他の揮発性または不揮発性、非一時的コンピュータ可読および／またはコンピュータ実行可能メモリデバイスを含む。
【００８１】
ＵＥ１０２の他の実施形態は、上記で説明された機能のいずれかおよび／または（上記で説明されたソリューションをサポートするために必要な任意の機能を含む）任意の追加の機能を含む、ＵＥの機能のいくつかの態様を与える役目を果たし得る、図１２に示されたもの以外の追加の構成要素を含み得る。単に１つの例として、ＵＥ１０２は、プロセッサの一部であり得る、入力デバイスおよび回路、出力デバイス、および１つまたは複数の同期ユニットまたは回路を含み得る。入力デバイスは、ＵＥ１０２へのデータの入力のための機構を含む。たとえば、入力デバイスは、マイクロフォン、入力要素、ディスプレイなどの入力機構を含み得る。出力デバイスは、オーディオ、ビデオおよび／またはハードコピーフォーマットでデータを出力するための機構を含み得る。たとえば、出力デバイスはスピーカー、ディスプレイなどを含み得る。
【００８２】
いくつかの実施形態では、ＵＥ１０２は、上記で説明されたＵＥの機能を実装するように設定された機能ユニットまたはモジュールのシリーズを備えることができる。図１３を参照すると、いくつかの実施形態では、ＵＥ１０２は、ＰＵＣＣＨリソースを設定するためのＰＵＣＣＨモジュール５１０と、設定されたＰＵＣＣＨリソースに従ってスケジューリング要求メッセージを送信するためのスケジューリング要求モジュール５２０とを備えることができる。
【００８３】
様々なモジュールは、ハードウェアとソフトウェアの組合せ、たとえば、図１２に示されたＵＥ１０２のプロセッサ、メモリおよびトランシーバとして実装され得ることが諒解されよう。いくつかの実施形態は、追加のおよび／または随意の機能をサポートするための追加のモジュールをも含み得る。
【００８４】
図１４は、いくつかの実施形態による、例示的なネットワークノード１０４のブロック図である。ネットワークノード１０４は、トランシーバ６０１、プロセッサ６０２、メモリ６０３、および通信インターフェース６０４のうちの１つまたは複数を含み得る。いくつかの実施形態では、トランシーバ６０１は、（たとえば、送信機（Ｔｘ）、受信機（Ｒｘ）、およびアンテナを介して）ＵＥ１０２に無線信号を送信し、ＵＥ１０２から無線信号を受信することを容易にする。プロセッサ６０２は、ネットワークノード１０４によって与えられる、上記で説明された機能のいくつかまたはすべてを与える命令を実行し、メモリ６０３は、プロセッサ６０２によって実行される命令を記憶する。いくつかの実施形態では、プロセッサ６０２およびメモリ６０３は処理回路を形成する。ネットワークインターフェース６０４は、ゲートウェイ、スイッチ、ルータ、インターネット、公衆交換電話網（ＰＳＴＮ）、コアネットワークノードまたは無線ネットワークコントローラなど、バックエンドネットワーク構成要素に信号を通信する。
【００８５】
プロセッサ６０２は、上記で説明されたものなど、ネットワークノード１０４の説明された機能のいくつかまたはすべてを実行するために、命令を実行し、データを操作するためのハードウェアの任意の好適な組合せを含み得る。いくつかの実施形態では、プロセッサ６０２は、たとえば、１つまたは複数のコンピュータ、１つまたは複数の中央処理ユニット（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理を含み得る。
【００８６】
メモリ６０３は、一般に、論理、ルール、アルゴリズム、コード、テーブルなどのうちの１つまたは複数を含む、コンピュータプログラム、ソフトウェア、アプリケーションなどの命令、および／またはプロセッサによって実行されることが可能な他の命令を記憶するように動作可能である。メモリ６０３の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または、情報を記憶する任意の他の揮発性または不揮発性、非一時的コンピュータ可読および／またはコンピュータ実行可能メモリデバイスを含む。
【００８７】
いくつかの実施形態では、通信インターフェース６０４は、プロセッサ６０２に通信可能に結合され、ネットワークノード１０４のための入力を受信し、ネットワークノード１０４からの出力を送り、入力または出力または両方の好適な処理を実行し、他のデバイスに通信し、または上記の任意の組合せを行うように動作可能な任意の好適なデバイスを指し得る。通信インターフェース６０４は、ネットワークを介して通信するために、プロトコル変換およびデータ処理能力を含む、適切なハードウェア（たとえば、ポート、モデム、ネットワークインターフェースカードなど）およびソフトウェアを含み得る。
【００８８】
ネットワークノード１０４の他の実施形態は、上記で説明された機能のいずれかおよび／または（上記で説明されたソリューションをサポートするために必要な任意の機能を含む）任意の追加の機能を含む、ネットワークノードの機能のいくつかの態様を与える役目を果たし得る、図９に示されたもの以外の追加の構成要素を含み得る。様々な異なるタイプのネットワークノードは、同じ物理ハードウェアを有するが、異なる無線アクセス技術をサポートするように（たとえば、プログラミングを介して）設定された構成要素を含み得るか、あるいは部分的にまたは完全に異なる物理的構成要素を表し得る。
【００８９】
いくつかの実施形態では、たとえば、アクセスノードであり得るネットワークノード１０４は、上記で説明されたネットワークノード１０４の機能を実装するように設定されたモジュールのシリーズを備え得る。図１５を参照すると、いくつかの実施形態では、ネットワークノードは、少なくとも１つの無線デバイスのためのＰＵＣＣＨリソースを割り当て、設定するための設定モジュール６１０と、スケジューリング要求を処理するための処理モジュール６２０とを備えることができる。
【００９０】
様々なモジュールは、ハードウェアとソフトウェアの組合せ、たとえば、図１４に示されたネットワークノード１０４のプロセッサ、メモリおよびトランシーバとして実装され得ることが諒解されよう。いくつかの実施形態は、追加のおよび／または随意の機能をサポートするための追加のモジュールをも含み得る。
【００９１】
図１２および図１４に関して説明したものと同様のプロセッサ、インターフェース、およびメモリは、他のネットワークノード（コアネットワークノード１０６など）中に含まれ得る。他のネットワークノードは、随意に、無線インターフェース（図１２および図１４において説明したトランシーバなど）を含んでもよく、含まなくてもよい。
【００９２】
いくつかの実施形態は、（コンピュータ可読媒体、プロセッサ可読媒体、またはその中で具現化されるコンピュータ可読プログラムコードを有するコンピュータ使用可能媒体とも呼ばれる）機械可読媒体中に記憶されたソフトウェア製品として表され得る。機械可読媒体は、ディスケット、コンパクトディスク読取り専用メモリ（ＣＤ−ＲＯＭ）、デジタルバーサタイルディスク読取り専用メモリ（ＤＶＤ−ＲＯＭ）メモリデバイス（揮発性または不揮発性）、または同様の記憶機構を含む、磁気、光、または電気記憶媒体を含む任意の好適な有形媒体であり得る。機械可読媒体は、実行されたときに、処理回路（たとえばプロセッサ）に１つまたは複数の実施形態による方法におけるステップを実行させる、命令、コードシーケンス、設定情報、または他のデータの様々なセットを含み得る。当業者は、説明された実施形態を実装するために必要な他の命令および動作も機械可読媒体上に記憶され得ることを諒解しよう。機械可読媒体から動作しているソフトウェアは、説明されたタスクを実行するために回路とインターフェース接続し得る。
【００９３】
上記で説明した実施形態は例にすぎないことが意図されている。改変、変更および変形は、説明の範囲から逸脱することなく当業者によって特定の実施形態に対して実施され得る。
【００９４】
用語集
本明細書は以下の省略形のうちの１つまたは複数を含み得る。
１ｘ  ＲＴＴ  ＣＤＭＡ２０００  １ｘ無線伝送技術
３ＧＰＰ  第３世代パートナーシッププロジェクト
ＡＢＳ  オールモストブランクサブフレーム
ＡＣＫ  肯定応答
ＡＤＣ  アナログデジタル変換
ＡＧＣ  自動利得制御
ＡＮＲ  自動近隣関係
ＡＰ  アクセスポイント
ＡＲＱ  自動再送要求
ＡＷＧＮ  加法性白色ガウス雑音帯域
ＢＣＣＨ  ブロードキャスト制御チャネル
ＢＣＨ  ブロードキャストチャネル
ＢＬＥＲ  ブロックエラーレート
ＢＳ  基地局
ＢＳＣ  基地局コントローラ
ＢＴＳ  トランシーバ基地局
ＣＡ  キャリアアグリゲーション
ＣＣ  コンポーネントキャリア
ＣＣＣＨ  ＳＤＵ  共通制御チャネルＳＤＵ
ＣＤＭＡ  符号分割多重接続
ＣＦＩ  制御フォーマットインジケータ
ＣＧ  セルグループ
ＣＧＩ  セルグローバル識別子
ＣＰ  サイクリックプレフィックス
ＣＰＩＣＨ  Ｅｃ／Ｎｏ  チップ当たりのＣＰＩＣＨ受信エネルギー／中の電力密度
ＣＰＩＣＨ  共通パイロットチャネル
ＣＱＩ  チャネル品質情報
Ｃ−ＲＮＴＩ  セルＲＮＴＩ
ＣＲＳ  セル固有参照信号
ＣＳＧ  クローズドサブスクライバグループ
ＣＳＩ  チャネル状態情報
ＤＡＳ  分散アンテナシステム
ＤＣ  デュアルコネクティビティ
ＤＣＣＨ  個別制御チャネル
ＤＣＩ  ダウンリンク制御情報
ＤＦＴ  離散フーリエ変換
ＤＬ  ダウンリンク
ＤＬ−ＳＣＨ  ダウンリンク共有チャネル
ＤＭＲＳ  復調用参照信号
ＤＲＸ  間欠受信
ＤＴＣＨ  専用トラフィックチャネル
ＤＴＸ  間欠送信
ＤＵＴ  被試験デバイス
ＥＡＲＦＣＮ  エボルブド絶対無線周波数チャネル番号
ＥＣＣＥ  エンハンスド制御チャネルエレメント
ＥＣＧＩ  エボルブドＣＧＩ
Ｅ−ＣＩＤ  エンハンスドセルＩＤ（測位方法）
ｅＭＢＢ  エンハンスドモバイルブロードバンド
ｅＮＢ  Ｅ−ＵＴＲＡＮノードＢまたはエボルブドノードＢ
ｅＰＤＣＣＨ  拡張物理ダウンリンク制御チャネル
Ｅ−ＳＭＬＣ  エボルブドサービングモバイルロケーションセンタ
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＤＭ  周波数分割多重
ＦＦＴ  高速フーリエ変換
ＦＳ  フレーム構造
ＧＥＲＡＮ  ＧＳＭ  ＥＤＧＥ無線アクセスネットワーク
ＧＳＭ  移動体通信用グローバルシステム
ＨＡＲＱ  ハイブリッド自動再送要求
ＨＤ−ＦＤＤ  半二重ＦＤＤ
ＨＯ  ハンドオーバ
ＨＲＰＤ  高レートパケットデータ
ＨＳＰＡ  高速パケットアクセス
ＬＣＭＳ  モビリティ状態の臨界のレベル
ＬＰＰ  ＬＴＥ測位プロトコル
ＬＴＥ  Ｌｏｎｇ−Ｔｅｒｍ  Ｅｖｏｌｕｔｉｏｎ
Ｍ２Ｍ  マシン間
ＭＡＣ  媒体アクセス制御
ＭＢＭＳ  マルチメディアブロードキャストマルチキャストサービス
ＭＢＳＦＮ  ＡＢＳ  ＭＢＳＦＮオールモストブランクサブフレーム
ＭＢＳＦＮ  マルチメディアブロードキャストマルチキャストサービス単一周波数ネットワーク
ＭＣＧ  マスタセルグループ
ＭＤＴ  ドライブテストの最小化
ＭｅＮＢ  マスタｅノードＢ
ＭＩＢ  マスタ情報ブロック
ＭＭＥ  モビリティ管理エンティティ
ＭＰＤＣＣＨ  ＭＴＣ物理ダウンリンク制御チャネル
ＭＲＴＤ  最大受信タイミング差
ＭＳＣ  モバイルスイッチングセンタ
ＭＳＲ  マルチスタンダード無線
ＭＴＣ  マシン型通信
ＮＡＣＫ  否定応答
ＮＤＩ  次データインジケータ
ＮＰＢＣＨ  狭帯域物理ブロードキャストチャネル
ＮＰＤＣＣＨ  狭帯域物理ダウンリンク制御チャネル
ＮＲ  新無線
Ｏ＆Ｍ  運用保守
ＯＣＣ  直交カバーコード
ＯＣＮＧ  ＯＦＤＭＡチャネル雑音生成器
ＯＦＤＭ  直交周波数分割多重
ＯＦＤＭＡ  直交周波数分割多元接続
ＯＳＳ  オペレーションズサポートシステム
ＯＴＤＯＡ  観測到達時間差
ＰＢＣＨ  物理ブロードキャストチャネル
ＰＣＣ  １次コンポーネントキャリア
Ｐ−ＣＣＰＣＨ  １次共通制御物理チャネル
ＰＣｅｌｌ  １次セル
ＰＣＦＩＣＨ  物理制御フォーマットインジケータチャネル
ＰＣＧ  １次セルグループ
ＰＣＨ  ページングチャネル
ＰＣＩ  物理セル識別
ＰＤＣＣＨ  物理ダウンリンク制御チャネル
ＰＤＳＣＨ  物理ダウンリンク共有チャネル
ＰＤＵ  プロトコルデータユニット
ＰＧＷ  パケットゲートウェイ
ＰＨＩＣＨ  物理ＨＡＲＱ指示チャネル
ＰＬＭＮ  パブリックランドモバイルネットワーク
ＰＭＩ  プリコーダ行列インジケータ
ＰＲＡＣＨ  物理ランダムアクセスチャネル
ＰｒｏＳｅ  近傍サービス
ＰＲＳ  測位参照信号
ＰＳＣ  １次サービングセル
ＰＳＣｅｌｌ  １次ＳＣｅｌｌ
ＰＳＳ  １次同期信号
ＰＳＳＳ  １次サイドリンク同期信号
ＰＵＣＣＨ  物理アップリンク制御チャネル
ＰＵＳＣＨ  物理アップリンク共有チャネル
ＱＡＭ  直交振幅変調
ＲＡＣＨ  ランダムアクセスチャネル
ＲＡＴ  無線アクセス技術
ＲＢ  リソースブロック
ＲＦ  無線周波数
ＲＬＭ  無線リンク管理
ＲＮＣ  無線ネットワークコントローラ
ＲＮＴＩ  無線ネットワーク一時識別子
ＲＲＣ  無線リソース制御
ＲＲＨ  リモート無線ヘッド
ＲＲＭ  無線リソース管理
ＲＲＵ  リモートラジオユニット
ＲＳＣＰ  受信信号コード電力
ＲＳＲＰ  参照信号受信電力
ＲＳＲＱ  参照信号受信品質
ＲＳＳＩ  受信信号強度インジケータ
ＲＳＴＤ  参照信号時間差
ＳＣ  シングルキャリア
ＳＣＣ  ２次コンポーネントキャリア
ＳＣｅｌｌ  ２次セル
ＳＣＧ  ２次セルグループ
ＳＣＨ  同期チャネル
ＳＤＵ  サービスデータユニット
ＳｅＮＢ  ２次ｅノードＢ
ＳＦ  サブフレーム
ＳＦＮ  システムフレーム数
ＳＧＷ  サービングゲートウェイ
ＳＩ  システム情報
ＳＩＢ  システム情報ブロック
ＳＩＮＲ  信号対干渉および雑音比
ＳＮＲ  信号雑音比
ＳＰＳ  半永続的スケジューリング
ＳＯＮ  自己組織化ネットワーク
ＳＲ  スケジューリング要求
ＳＲＳ  サウンディング参照信号
ＳＳＣ  ２次サービングセル
ＳＳＳ  ２次同期信号
ＳＳＳＳ  ２次サイドリンク同期信号
ＴＡ  タイミングアドバンス
ＴＡＧ  タイミングアドバンスグループ
ＴＤＤ  時分割複信
ＴＤＭ  時分割多重
ＴＴＩ  送信時間間隔
Ｔｘ  送信機
ＵＡＲＦＣＮ  ＵＭＴＳ絶対無線周波数チャネル番号
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＲＬＬＣ  超高信頼度低レイテンシ通信
ＵＴＲＡ  ユニバーサル地上波無線アクセス
ＵＴＲＡＮ  ユニバーサル地上波無線アクセスネットワーク
Ｖ２Ｉ  車両対インフラストラクチャ
Ｖ２Ｐ  車両対歩行者
Ｖ２Ｘ  車両対Ｘ
ＷＣＤＭＡ  ワイドＣＤＭＡ
ＷＬＡＮ  無線ローカルエリアネットワーク
【図１】
0006860703.tif 000002
【図２】
0006860703.tif 000003
【図３】
0006860703.tif 000004
【図４】
0006860703.tif 000005
【図５】
0006860703.tif 000006
【図６】
0006860703.tif 000007
【図７】
0006860703.tif 000008
【図８】
0006860703.tif 000009
【図９】
0006860703.tif 000010
【図１０】
0006860703.tif 000011
【図１１】
0006860703.tif 000012
【図１２】
0006860703.tif 000013
【図１３】
0006860703.tif 000014
【図１４】
0006860703.tif 000015
【図１５】
0006860703.tif 000016